(57)【要約】【課題】遊技球の打球を不安定にすることなく、遊技領域を拡張することができる弾球遊技機を提供する。【解決手段】発射球案内部材６１は、取付ベース部６６と、遊技盤本体６の前面の下端側から上端側に亘って円弧状に形成された発射球案内壁部６７と、底部７９とを備え、発射球案内壁部６７と底部７９とを取付ベース部６６とともに合成樹脂で一体成形し、取付ベース部６６は、遊技盤本体６に取り付けた状態で該遊技盤本体６の側端よりも外側へ突出する延設ベース部７０を備え、該延設ベース部７０の前面に発射球案内壁部６７の一部を側方へ膨出した状態で設けることで、案内誘導路１２の途中を遊技盤本体６の側端よりも外側に配設した。【選択図】    図８
2004290358.tif 000002
【特許請求の範囲】
【請求項１】
遊技球を発射するための発射装置と、該発射装置から発射された遊技球を誘導する発射レールと、該発射レールから誘導された遊技球を遊技盤上の遊技領域内に案内するための案内誘導路が形成された発射球案内ユニットと、
を備える弾球遊技機において、
前記発射球案内ユニットは、
遊技盤前面側に前記案内誘導路を形成する発射球案内部材と、
前記発射球案内部材に取り付けられるガイドレールと、
前記ガイドレールを遊技盤前方から止着するガイドレール止着部材と、
を備えて成り、
前記発射球案内部材は、
遊技盤本体の前面に取り付けるための取付ベース部と、
前記取付ベース部から遊技盤前方へ向かって起立し、遊技盤本体の前面の下端側から上端側に亘って円弧状に形成された発射球案内壁部と、
前記案内誘導路の底部と、
を備え、
前記発射球案内壁部と底部とを前記取付ベース部とともに合成樹脂で一体成形し、
前記取付ベース部は、
遊技盤本体に取り付けた状態で該遊技盤本体の側端よりも外側へ突出する延設ベース部を備え、
該延設ベース部の前面に発射球案内壁部の一部を側方へ膨出した状態で設けることで、案内誘導路の途中を遊技盤本体の側端よりも外側に配設したことを特徴とする弾球遊技機。
【請求項２】
前記延設ベース部の裏面に、遊技盤の後方に向かって起立した補強部材を設けたことを特徴とする請求項１に記載の弾球遊技機。
【請求項３】
前記補強部材は、
遊技盤本体の側端に当接する縦方向の第１リブと、該第１リブと延設ベース部の側端部との間に設けられた横方向の第２リブとから構成されたことを特徴とする請求項１または請求項２に記載の弾球遊技機。
【請求項４】
前面枠に、前記遊技盤を収納する遊技盤収納フレームを備え、
該遊技盤収納フレームは、
一側に遊技盤を掛止する遊技盤掛止手段を、他側に遊技盤を固定する遊技盤固定手段をそれぞれ設け、
前記遊技盤掛止手段は、
遊技盤収納フレームの側壁の上部および下部に設けられ、遊技盤収納フレームの側壁から内側に向かってそれぞれ延出する掛止部材と、遊技盤収納フレームの側壁の上部および下部に設けられ、遊技盤の左右方向の移動を規制して位置決めする位置決め部材とから構成され、
前記取付ベース部は、
前記発射球案内壁部の外側で遊技盤本体の前面上側に取り付けられる上取付ベース部と、発射球案内壁部の外側で遊技盤本体の前面下側に取り付けられる下取付ベース部とを含み、
前記上取付ベース部と下取付ベース部とに、掛止部材が掛止される掛止受部をそれぞれ備え、
前記遊技盤収納フレームに遊技盤を収納して遊技盤本体に位置決め部材を当接した状態で遊技盤収納フレームの側壁と遊技盤本体の側端との間に間隙を形成し、
該間隙の前方であって、前記上下の掛止部材の間に延設ベース部上の案内誘導路を配置し、
前記間隙内であって、前記上下の位置決め部材の間に補強部材を収納することを特徴とする請求項１から請求項３のいずれかに記載の弾球遊技機。
【請求項５】
前記発射装置は、
前記遊技盤の下方に発射杵を回動軸により軸着し、該回動軸から下方に延在する発射杵の下端部分に遊技球を弾発する杵先を備え、前記回動軸より下方に発射レールの遊技球発射位置を設定したことを特徴とする請求項１から請求項４のいずれかに記載の弾球遊技機。
【請求項６】
前記発射レールの先端と前記案内誘導路の基端との間に開口したファール流下口を備え、
前記ガイドレールは、
発射球案内壁部の内側面に、長手方向に沿って取り付けられ、前記ファール流下口を飛び越えた遊技球が衝接し得る部分であって、発射装置の打球発射力を最小状態にした際に遊技球が衝接する位置から、打球発射力を最大状態にした際に衝接する位置までの範囲を発射球衝接部とし、
該発射球衝接部と発射球案内壁部との間でガイドレールの長さ方向に所定の間隔を配した発射球衝撃吸収空間部を形成したことを特徴とする請求項１から請求項５のいずれかに記載の弾球遊技機。
【請求項７】
前記発射球案内部材は、
前記ガイドレールの上端部を係止する上端係止受部と、
前記ガイドレールの下端部を止着する下端止着受部と、
上端係止受部と下端止着受部との間に設けられて、ガイドレール止着部材を係止するためのガイドレール止着部材係止部と、
前記底部に、発射球案内壁部に沿って複数開設されたガイドレール位置決め孔と、
を備え、
前記ガイドレールは、
上端部に設けられて、前記上端係止受部へ係止される係止部と、
下端部に設けられて、前記下端止着受部に止着される止着部と、
前記ガイドレール止着部材が止着される箇所に設けられた切欠凹部と、
当該ガイドレールの後端から複数突設されて、前記ガイドレール位置決め孔に嵌合する位置決め突起と、
を備え、
前記ガイドレール止着部材は、
ガイドレール止着部材係止部に係止するための挟み込み部と、
前記挟み込み部とガイドレール止着部材係止部とが係止すると前記ガイドレールの前側端を押止する押止部と、
を備えたことを特徴とする請求項１から請求項６のいずれかに記載の弾球遊技機。
【発明の詳細な説明】
【０００１】
【発明の属する技術分野】
本発明は、遊技盤の前面側に形成された遊技領域に対して発射装置から発射された遊技球が案内誘導路を介して遊技領域に送り込まれるように構成されたパチンコ遊技機等の弾球遊技機に関する。
【０００２】
【従来の技術】
従来の弾球遊技機、例えばパチンコ遊技機においては、ガイドレールとしての外バンド（金属帯板）を遊技盤の下端側から上端側に亘って円弧状に止着し、この外バンドの内側にガイドレールとしての内バンド（金属帯板）を横Ｃ字状に止着し、外バンドと内バンドの間の円弧状部分を遊技球の案内誘導路とし、内バンドと外バンドの上部に囲まれた円形部分を遊技領域とし、この遊技領域内に障害釘を植設するとともに可変表示装置や変動入賞装置等を配設している。
【０００３】
そして、近年における遊技内容の多様化に伴って、パチンコ遊技機は、大型化した可変表示装置や変動入賞装置を備えて、インパクトのある演出を行う傾向にある。そして、この大型化した各装置を配設するために、例えば、ガイドレールを遊技盤の外周に接近した位置に取り付けて、遊技領域を拡張したパチンコ遊技機が提案されている（例えば、特許文献１参照。）。
【０００４】
【特許文献１】
特開平１０−１６５５７４号公報（第２頁，第１図）
【０００５】
【発明が解決しようとする課題】
しかしながら、従来のガイドレールは、割ピン状の釘によって遊技盤本体（遊技盤のベース部材）の表面に止着されており、ガイドレールを遊技盤外周よりも外側に配置することが困難である。したがって、上記のパチンコ遊技機において、遊技領域を更に拡張しようとしても、案内誘導路を遊技盤本体の外周よりも外側に形成することができなかった。また、ガイドレールの一部を遊技盤外周よりも外側に円弧状に突出させると、この突出部分は、遊技盤本体に対して固定することができないので不安定である。このようにガイドレールを不安定な状態で遊技を行うと、遊技中の度重なる遊技球の衝突によって、ガイドレールの一部が遊技盤表面に対して傾いてしまう虞があった。そして、ガイドレールが部分的に傾いたまま遊技を続けると、遊技球の飛びムラが発生して、遊技の興趣を損なう虞があった。
【０００６】
そこで、本発明は、上記の事情に鑑みてなされたものであり、その目的は、発射された遊技球の飛翔方向を不安定にすることなく、遊技領域を拡張することができる弾球遊技機を提供しようとするものである。
【０００７】
【課題を解決するための手段】
本発明は、上記目的を達成するために提案されたものであり、請求項１に記載のものは、遊技球を発射するための発射装置と、該発射装置から発射された遊技球を誘導する発射レールと、該発射レールから誘導された遊技球を遊技盤上の遊技領域内に案内するための案内誘導路が形成された発射球案内ユニットと、
を備える弾球遊技機において、
前記発射球案内ユニットは、
遊技盤前面側に前記案内誘導路を形成する発射球案内部材と、
前記発射球案内部材に取り付けられるガイドレールと、
前記ガイドレールを遊技盤前方から止着するガイドレール止着部材と、
を備えて成り、
前記発射球案内部材は、
遊技盤本体の前面に取り付けるための取付ベース部と、
前記取付ベース部から遊技盤前方へ向かって起立し、遊技盤本体の前面の下端側から上端側に亘って円弧状に形成された発射球案内壁部と、
前記案内誘導路の底部と、
を備え、
前記発射球案内壁部と底部とを前記取付ベース部とともに合成樹脂で一体成形し、
前記取付ベース部は、
遊技盤本体に取り付けた状態で該遊技盤本体の側端よりも外側へ突出する延設ベース部を備え、
該延設ベース部の前面に発射球案内壁部の一部を側方へ膨出した状態で設けることで、案内誘導路の途中を遊技盤本体の側端よりも外側に配設したことを特徴とする弾球遊技機である。
【０００８】
請求項２に記載のものは、前記延設ベース部の裏面に、遊技盤の後方に向かって起立した補強部材を設けたことを特徴とする請求項１に記載の弾球遊技機である。
【０００９】
請求項３に記載のものは、前記補強部材は、
遊技盤本体の側端に当接する縦方向の第１リブと、該第１リブと延設ベース部の側端部との間に設けられた横方向の第２リブとから構成されたことを特徴とする請求項１または請求項２に記載の弾球遊技機である。
【００１０】
請求項４に記載のものは、前面枠に、前記遊技盤を収納する遊技盤収納フレームを備え、
該遊技盤収納フレームは、
一側に遊技盤を掛止する遊技盤掛止手段を、他側に遊技盤を固定する遊技盤固定手段をそれぞれ設け、
前記遊技盤掛止手段は、
遊技盤収納フレームの側壁の上部および下部に設けられ、遊技盤収納フレームの側壁から内側に向かってそれぞれ延出する掛止部材と、遊技盤収納フレームの側壁の上部および下部に設けられ、遊技盤の左右方向の移動を規制して位置決めする位置決め部材とから構成され、
前記取付ベース部は、
前記発射球案内壁部の外側で遊技盤本体の前面上側に取り付けられる上取付ベース部と、発射球案内壁部の外側で遊技盤本体の前面下側に取り付けられる下取付ベース部とを含み、
前記上取付ベース部と下取付ベース部とに、掛止部材が掛止される掛止受部をそれぞれ備え、
前記遊技盤収納フレームに遊技盤を収納して遊技盤本体に位置決め部材を当接した状態で遊技盤収納フレームの側壁と遊技盤本体の側端との間に間隙を形成し、
該間隙の前方であって、前記上下の掛止部材の間に延設ベース部上の案内誘導路を配置し、
前記間隙内であって、前記上下の位置決め部材の間に補強部材を収納することを特徴とする請求項１から請求項３のいずれかに記載の弾球遊技機である。
【００１１】
請求項５に記載のものは、前記発射装置は、
前記遊技盤の下方に発射杵を回動軸により軸着し、該回動軸から下方に延在する発射杵の下端部分に遊技球を弾発する杵先を備え、前記回動軸より下方に発射レールの遊技球発射位置を設定したことを特徴とする請求項１から請求項４のいずれかに記載の弾球遊技機である。
【００１２】
請求項６に記載のものは、前記発射レールの先端と前記案内誘導路の基端との間に開口したファール流下口を備え、
前記ガイドレールは、
発射球案内壁部の内側面に、長手方向に沿って取り付けられ、前記ファール流下口を飛び越えた遊技球が衝接し得る部分であって、発射装置の打球発射力を最小状態にした際に遊技球が衝接する位置から、打球発射力を最大状態にした際に衝接する位置までの範囲を発射球衝接部とし、
該発射球衝接部と発射球案内壁部との間でガイドレールの長さ方向に所定の間隔を配した発射球衝撃吸収空間部を形成したことを特徴とする請求項１から請求項５のいずれかに記載の弾球遊技機である。
【００１３】
請求項７に記載のものは、前記発射球案内部材は、
前記ガイドレールの上端部を係止する上端係止受部と、
前記ガイドレールの下端部を止着する下端止着受部と、
上端係止受部と下端止着受部との間に設けられて、ガイドレール止着部材を係止するためのガイドレール止着部材係止部と、
前記底部に、発射球案内壁部に沿って複数開設されたガイドレール位置決め孔と、
を備え、
前記ガイドレールは、
上端部に設けられて、前記上端係止受部へ係止される係止部と、
下端部に設けられて、前記下端止着受部に止着される止着部と、
前記ガイドレール止着部材が止着される箇所に設けられた切欠凹部と、
当該ガイドレールの後端から複数突設されて、前記ガイドレール位置決め孔に嵌合する位置決め突起と、
を備え、
前記ガイドレール止着部材は、
ガイドレール止着部材係止部に係止するための挟み込み部と、
前記挟み込み部とガイドレール止着部材係止部とが係止すると前記ガイドレールの前側端を押止する押止部と、
を備えたことを特徴とする請求項１から請求項６のいずれかに記載の弾球遊技機である。
【００１４】
【発明の実施の形態】
以下、代表的な弾球遊技機であるパチンコ遊技機を例に挙げて本発明の実施の形態を図面に基づき説明する。図１はパチンコ遊技機１の正面図、図２はパチンコ遊技機１の内部を示す正面図である。
【００１５】
パチンコ遊技機１は、図１および図２に示すように、機枠（本体枠）２に前面枠３の一側（図中左側）を開閉可能に取り付け、この前面枠３のベースとなる前面枠本体４に遊技盤５を収納可能とし、遊技盤５のベースとなる遊技盤本体６の表面には、表示装置７、大入賞口８、一般入賞口９、アウト口１０等を配設した遊技領域１１と、この遊技領域１１内へ遊技球を案内するための案内誘導路１２を形成している。また、前面枠３の前面には、一側（図中左側）が軸着された透明部材保持枠（ガラス枠）１３を、ヒンジ部１３ａを介して回動可能に設け、該透明部材保持枠１３に透視可能な透明部材（ガラス板）１４を収納して遊技領域１１および案内誘導路１２を前方から覆い、透明部材保持枠１３の下方に上皿ユニット１５と下皿ユニット１６とを上下に並べて備えている。そして、パチンコ遊技機１は、前面枠３に対して上皿ユニット１５をヒンジ部１５ａで開閉可能に軸着し、上皿ユニット１５の表側に、遊技球（貸し球あるいは賞球）が貯留される上皿１７を配設し、下皿ユニット１６の表側中央に下皿１８を、左側に灰皿１９を、右側に発射操作ユニット（発射操作ハンドル）２０をそれぞれ配設している。なお、案内誘導路１２を形成する遊技盤５の構成や、案内誘導路１２と対向する透明部材保持枠１３については、後で詳細に説明する。
【００１６】
次に、前面枠本体４について説明する。
前面枠本体４は、図２および図３に示すように、矩形状の開口部２２を上寄りに開設した額縁状の部材であり、この開口部２２の周縁に遊技盤収納フレーム２３を備え、遊技盤収納フレーム２３の下方にフレームボード部２４を備えている。なお、本実施形態の遊技盤本体６は、遊技盤収納フレーム２３およびフレームボード部２４を含んだ状態で合成樹脂により一体成型されているが、遊技盤収納フレーム２３およびフレームボード部２４を別部材にして取り付けてもよい。
【００１７】
遊技盤収納フレーム２３は、前面枠３の軸着側（一側、図中左側）に一方の側壁である左側壁部（軸着側壁部）２３ａを、軸着側とは反対の開放側（他側、図中右側）に他方の側壁である右側壁部（開放側壁部）２３ｂを、左側壁部２３ａの上端部と右側壁部２３ｂの上端部とを接続する状態で上側壁部２３ｃをそれぞれ備え、各側壁部の後縁から内側に向かって背面部２３ｄを形成している。このような構成からなる遊技盤収納フレーム２３は、前方を開口した凹状に形成され、前面枠本体４の前面から一段窪ませた状態で設けられている。
【００１８】
そして、遊技盤収納フレーム２３は、左側（透明部材保持枠１８軸着側）壁部２３ａに遊技盤５を掛止する遊技盤掛止手段２６を設けている。この遊技盤掛止手段２６は、遊技盤５を前方から掛止可能な掛止部材２７と、遊技盤５の横方向（左右方向）の移動を規制して位置を決めるための位置決め部材２８とから構成されている。
【００１９】
掛止部材２７は、遊技盤５の案内誘導路１２側（一側、図中左側）の前部に掛止する部材であり、左側壁部２３ａの上部および下部から遊技盤収納フレーム２３の内側に向かって掛止片２７ａをそれぞれ延設し、掛止片２７ａの先端から遊技盤５側に屈曲して突出した掛止爪２７ｂを備えている（図４参照）。また、掛止部材２７は、弾性を有する部材、例えば金属により形成されており、掛止片２７ａを前方に撓ませることにより復元力を生じて、この復元力により遊技盤５を後方の背面部２３ｄへ押し付けながら掛止できるように構成されている。なお、遊技盤収納フレーム２３内への遊技盤５の取付状態については、遊技盤５の取付手順と併せて後で詳細に説明する。
【００２０】
位置決め部材２８は、上下の掛止部材２７の間に左側壁部２３ａおよび背面部２３ｄから延設された板状部材である。この位置決め部材２８は、遊技盤５に当接可能な当接端２８ａを遊技盤収納フレーム２３の内側に向けた状態で備えており、上下に離間した状態で２つ設けられている。なお、本実施形態の位置決め部材２８は、プレート片から構成されているが、これに限らない。例えば、位置決め部材をブロック形状にして幅広な当接端を形成してもよい。このように縦長な位置決め部材を左側壁部２３ａの上下に離間した状態で複数備え、この位置決め部材の当接端に遊技盤５を当接すれば、位置決め部材と遊技盤５との接触面積が広くなり、遊技盤５をより安定した状態で収納することができて好適である。
【００２１】
また、遊技盤収納フレーム２３は、右側壁部２３ｂおよび上側壁部２３ｃにクランプ３０（本発明の遊技盤固定手段に相当）を備えている（図２参照）。このクランプ３０は、遊技盤５を背面部２３ｄへ押え付けながら固定するための部材であり、回動操作により、遊技盤５前面に移動し、背面部２３ｄとの間で遊技盤５を挟み込む固定状態と、遊技盤５前面から退避して遊技盤５を解放する状態とに変換できるように構成されている。
【００２２】
フレームボード部２４は、上端に遊技盤載置部３２を設けており、この遊技盤載置部３２に遊技盤５の下端を載置することで、遊技盤５の上下方向の位置を規制できるように構成されている。また、フレームボード部２４は、発射操作ユニット２０の後方に当たる箇所に、遊技球を遊技領域１１に向かって発射するための発射装置３４を備えている。
【００２３】
この発射装置３４は、上皿に貯留された遊技球を１個ずつ発射可能な装置であり、図５に示すように、フレームボード部２４の前面に止着されるプレート状の取付基板３６に発射杵３７を回動軸３８により軸着し、発射杵３７の下端部分を回動軸３８から下方に延在して遊技球を弾発するための杵先３９を備えている。また、発射装置３４は、杵先３９の回動軸３８周りに前進した位置の先方であって、回動軸３８より下方に発射レール４１の遊技球発射位置４０を設定し、遊技球発射位置４０から遊技盤５上の案内誘導路１２に向かって上り傾斜する状態で発射レール４１を配設している。この発射レール４１は、発射装置３４から発射された遊技球を案内誘導路１２へ誘導するための部材であり、案内誘導路１２と発射杵３７との間に、上端が発射杵３７の上部、あるいは回動軸３８と略同じ高さに位置する状態で配設されている。このようにして発射装置３４は、発射杵３７と発射レール４１とを横方向に並べて配設することができ、高さを低く抑えて構成することができる。したがって、前面枠３内におけるフレームボード部２４の位置を低くし、遊技盤収納フレーム２３、すなわち遊技盤５の上下幅を広げて、遊技領域１１を拡張することができる。
【００２４】
また、このフレームボード部２４は、発射レール４１の上端と案内誘導路１２との間にファール流下口（ファール球回収口）４３を開口して、遊技領域１１まで到達せずに案内誘導路１２を逆流してきた遊技球を回収できるように構成されている。
【００２５】
次に遊技盤５上に遊技領域１１を区画する部材について説明する。
遊技盤５は、図６に示すように、合板やプラスチックなどからなる遊技盤本体６の表面に、装飾用のセルシートを貼付し、該セルシートの上から遊技領域１１を略円形に区画するための遊技領域区画部材４５を、遊技盤本体６の各辺に沿う状態で止着している。この遊技領域区画部材４５は、発射装置３４から発射された遊技球を遊技領域１１へ案内し、遊技領域１１の案内誘導路１２側（図中左側）を区画する略Ｃ字状の発射球案内ユニット４６と、該発射球案内ユニット４６の一端（図中右上端）に隣接した状態で止着し、遊技領域１１の右上側を区画する第１遊技領域区画部材４７と、上記発射球案内ユニット４６の他端（図中右下端）に隣接した状態で止着するとともに第１遊技領域区画部材４７に隣接した状態で止着し、遊技領域１１の右下側を区画する第２遊技領域区画部材４８とに３分割して構成されている。
【００２６】
第１遊技領域区画部材４７は、遊技領域１１側の端部に円弧状の第１区画壁５１を一体成形している。この第１区画壁５１は、途中にゴム材５２を取り付ける状態で遊技盤５の上部から左側中央部分に亘り遊技盤５の前方に向かって起立しており、発射球案内ユニット４６から遊技領域１１へ飛入した遊技球が遊技領域１１の外へ飛び出さないようにしている。また、第１遊技領域区画部材４７は、遊技盤本体６の側部（図中右側部）に位置する部分に指先を引っ掛けられる程度の窪部を設けて、遊技盤５を遊技盤収納フレーム２３から着脱する際のハンドル部５３を形成し、さらに、遊技盤収納フレーム２３のクランプ３０を当接する遊技盤取付部５４を備えている。
【００２７】
第２遊技領域区画部材４８は、遊技領域１１側の端部に円弧状の第２区画壁５６を一体成形している。この第２区画壁５６は、一端（図中上端）を第１区画壁５１の下端に連続するように設けられており、遊技盤５の左側中央部分から下部に亘り遊技盤５の前方に向かって起立している。さらに、この第２遊技領域区画部材４８は、発射球案内ユニット４６の下端に隣り合う第２区画壁５６の他端（図中左端）に、アウト口周縁部５７を一体成形し、このアウト口周縁部５７を遊技盤本体６の下側に形成された切欠部６ａの前方に位置させることで、遊技盤５上にアウト口１０を構成している。そして、第２遊技領域区画部材４８は、遊技盤５の固定箇所となる遊技盤取付部５４を備え、また、前面の一部に認可シールや確率スペック等の表示シールを貼付して掲示する掲示部５８を備えている。
【００２８】
次に、発射球案内ユニット４６について説明する。
発射球案内ユニット４６は、図６に示すように、遊技領域１１の遊技球進入側（図中左側）を区画する部材であり、遊技盤５の前面側に案内誘導路１２を形成する合成樹脂製の発射球案内部材６１と、該発射球案内部材６１に取り付けられる金属製ガイドレール６２と、該ガイドレール６２を発射球案内部材６１に遊技盤５の前方から止着するガイドレール止着部材６３とにより概略構成されている。
【００２９】
発射球案内部材６１は、図７に示すように、遊技盤５の前面側に取り付けるために略すみつき括弧状の取付ベース部６６を備え、該取付ベース部６６から遊技盤５の前方へ向かって起立する発射球案内壁部６７を遊技盤５の前面の下端側から上端側に亘って円弧状に形成している。そして、取付ベース部６６は、遊技盤本体６の前面上側に取り付けられる上取付ベース部６６ａと、遊技盤本体６の前面下側に取り付けられる下取付ベース部６６ｂとを含んで構成されており、上取付ベース部６６ａおよび下取付ベース部６６ｂを発射球案内壁部６７の外側に備えている。また、上取付ベース部６６ａおよび下取付ベース部６６ｂには、掛止部材２７の掛止爪２７ｂが引っ掛かる掛止受部６８をそれぞれ外側端部に設けている。
【００３０】
さらに、取付ベース部６６は、上取付ベース部６６ａと下取付ベース部６６ｂとの間から外側へ突出する状態で延設ベース部７０を備えている（図８参照）。延設ベース部７０は、略三日月形状を有しており、遊技盤本体６に取り付けた状態で該遊技盤本体６の側端よりも外側へ突出する状態で形成されている。この延設ベース部７０は、発射球案内壁部６７の一部であって外側へ膨出した膨出部７１を外側の円弧端縁に沿って起立した状態で設けている。このような構成により、発射球案内ユニット４６は、案内誘導路１２の途中であって遊技盤５の上下方向の中間に位置する部分を、遊技盤本体６の側端よりも外側に配設することができる。したがって、遊技領域１１の横幅のうち最も広い箇所、すなわち遊技領域１１の上下方向の中央部分を左右に拡張することができる。これにより、遊技盤５の設計の自由度を増加させて、遊技の興趣を高めたパチンコ遊技機を提供することができる。
【００３１】
また、この取付ベース部６６は、延設ベース部７０の裏面に遊技盤５の後方へ向かって起立（延設）した補強部材７３を設けている。補強部材７３は、図８に示すように、延設ベース部７０の縁部、すなわち発射球案内壁部６７の膨出部７１の基端周辺から遊技盤本体６の側端の直前に亘って形成されている。この補強部材７３は、具体的には、遊技盤本体６の側端に当接する縦方向の第１リブ７４と、この第１リブ７４と延設ベース部７０の側端部との間に複数設けられた横方向の第２リブ７５とから構成されている。そして、第２リブ７５は、遊技盤５の外側端の一部となる外側角部を斜めに切り欠いて面取りし、遊技盤５の取付作業や運搬時に作業員が補強部材７３によって手等を負傷し難い構成を備えている。このような補強部材７３を備えることで、延設ベース部７０上の発射球案内壁部６７や後述のガイドレール６２が捩れたり外側へ倒れ難くして、案内誘導路１２内を飛翔する遊技球が飛びムラを生じ難くなるようにすることができる。また、補強部材７３を発射球案内部材６１の左右方向の位置決めとして利用することができ、組立作業の効率向上を図ることができる。
【００３２】
なお、補強部材７３は、遊技盤５を遊技盤収納フレーム２３に収納した状態で上下の位置決め部材２８の間に位置するように配設されている（図２参照）。また、本実施形態の補強部材７３は、延設ベース部７０、さらには発射球案内部材６１に合成樹脂で一体成型されているが、別部材にして延設ベース部７０の裏側に取り付ける後付けタイプにしてもよい。
【００３３】
そして、この発射球案内部材６１は、発射球案内壁部６７から所定間隔を空けた内側の位置に、発射球案内壁部６７と略平行な状態となる円弧状の遊技領域区画壁部７８を、発射球案内壁部６７と同様に遊技盤５の前面の下端側から上端側に亘って形成して案内誘導路１２と遊技領域１１とを区画し、発射球案内壁部６７と遊技領域区画壁部７８との間に挟まれた円弧状の空間を案内誘導路１２としている。この案内誘導路１２は、取付ベース部６６とともに合成樹脂で一体成形した底部７９を有している。したがって、案内誘導路１２と遊技領域区画壁部７８とは、上記した底部７９と合わせて、遊技盤５の前方に向かって開口した断面コ字状を呈している（図４参照）。なお、この発射球案内部材６１は、遊技領域区画壁部７８の上端部に戻り球防止部材８０を設けて、遊技領域１１へ入った遊技球が案内誘導路１２へ戻るのを防止している。
【００３４】
また、発射球案内部材６１は、発射球案内壁部６７の上端周辺にガイドレール６２の上端部を係止する上端係止受部８２を上取付ベース部６６ａから突設し、下端周辺にガイドレール６２の下端部を止着する下端止着受部８３を下取付ベース部６６ｂから突設している。なお、上端係止受部８２および下端止着受部８３よりも遊技領域１１寄りの位置には、ガイドレール６２を係止するためのガイドレール係止壁８４がそれぞれ設けられている。このガイドレール係止壁８４は、ガイドレール６２の端部を差込可能な程度のスリット８４ａを介して発射球案内部材６１の内周面と一連になるように取付ベース部６６から前方に向かって起立している。
【００３５】
さらに、この発射球案内部材６１は、発射球案内壁部６７の外側に角穴状のガイドレール止着部材係止部８７を設け、案内誘導路１２の底部７９に発射球案内壁部６７の基端に沿って、ガイドレール位置決め孔８８を複数開設している。なお、上記した上端係止受部８２、下端止着受部８３およびガイドレール係止壁８４にガイドレール６２を取り付けた状態や、ガイドレール止着部材係止部８７にガイドレール止着部材６３を係止した状態については、後で詳しく説明する。
【００３６】
ガイドレール６２は、図９（ａ）に示すように、発射球案内壁部６７と略同じ幅を有する帯状の金属板（例えば、ステンレス鋼板）により形成された部材であり、発射球案内壁部６７の内周面に、その長手方向に沿って円弧状に湾曲した状態で取り付けられている。このガイドレール６２は、上下各端を遊技領域１１の外側に向かってクランク状に屈曲し、上端部には上端係止受部８２へ係止される係止部９０を、下端部には下端止着受部８３へ止着される止着部９１を形成している。また、ガイドレール６２は、案内誘導路１２の底部７９側に向いた後端から位置決め突起９２を、ガイドレール位置決め孔８８と対向する状態で複数突設している。そして、ガイドレール６２は、発射球案内壁部６７に取り付けられた際に前側に位置する端部にガイドレール止着部材６３の一部の押止部９５（後述）を嵌合可能な切欠凹部９９を設けている。なお、本実施形態におけるガイドレール６２の材質は、上記したステンレス鋼に限らず、例えば、鉄に亜鉛メッキを施したものでもよい。
【００３７】
ガイドレール止着部材６３は、発射球案内壁部６７に取り付けたガイドレール６２が脱落したり、遊技盤５に対して前後方向、あるいは発射球案内壁部６７に沿ってずれたりしないようにするための部材であり、図９（ｂ）に示すように、断面略Ｕ字状の挟み込み部９４と、該挟み込み部９４の先端から外側へ延設した押止部９５とにより構成されており、挟み込み部９４の押止部９５とは反対側の外面には、ガイドレール止着部材係止部８７に係止するための係止爪片９６を一体成形している。
【００３８】
なお、発射球案内壁部６７の起立端には、ガイドレール止着部材６３の押止部９５が丁度嵌合できる程度の壁部側切欠部９８を、ガイドレールの切欠凹部９９と同様に、ガイドレール止着部材６３の押止部９５が丁度嵌合できる程度の大きさで設けられている（図９（ｂ）参照）。
【００３９】
そして、発射球案内ユニット４６は、上記したガイドレール６２のうち発射装置３４から発射されてファール流下口４３を飛び越えた遊技球が衝接（衝突）し得る発射球衝接部１０１と、発射球案内壁部６７との間に、ガイドレール６２の長さ方向に所定の間隔を配した発射球衝撃吸収空間部１０２を形成している。なお、上記した発射球衝接部１０１とは、ガイドレール６２上において、ファール流下口４３を飛び越えた遊技球が衝接し得る部分であって、発射装置３４の打球発射力を最小にした際に遊技球が衝接する位置から、打球発射力を最大にした際に衝接する位置までの範囲を指す（図２および図６参照）。
【００４０】
また、このガイドレール６２は、基本的（例えば、遊技者が発射操作ユニット２０を握り易い位置で遊技球を打ち出す場合、あるいは発射装置３４の打球発射力が、調整可能範囲の中間である場合）には、背面に発射球衝撃吸収空間部１０２を形成した発射球衝接部１０１のほぼ中央に遊技球を衝接するようになっている。具体的に説明すると、発射球案内部材６１は、発射球案内壁部６７のうち、発射球案内部材６１に取り付けたガイドレール６２の発射球衝接部１０１と対向する部分を、案内誘導路１２とは反対側に凹ませて、発射球衝接部１０１と発射球案内壁部６７とを離間させている。そして、発射球衝接部１０１は、長手方向の両端部、すなわち上記した最小打球発射力での遊技球の衝接位置と最大打球発射力での衝接位置とを、発射球案内壁部６７の途中に形成された端部により案内誘導路１２とは反対側から所謂両端支持梁の状態で支持している。
【００４１】
このように発射球衝接部１０１の裏側（案内誘導路１２とは反対側）に発射球衝撃吸収空間部１０２を設けて、発射装置３４からの遊技球がガイドレール６２に衝接すると、このガイドレール６２は、この衝接によって発射球案内壁部６７へ凹もうとする動きを拘束されることなく、発射球衝撃吸収空間部１０２へ押されて僅かに撓むことができる。したがって、遊技球がガイドレール６２に衝接しても衝撃を吸収して弾み難くし、飛びムラを軽減させることができる。したがって、遊技者は発射装置３４を操作して意図したとおりに遊技球を遊技領域１１に送ることができて、遊技の興趣を高めることができる。
【００４２】
次に、透明部材保持枠１３について、特に案内誘導路１２と対向する箇所について説明する。
透明部材保持枠１３は、図１０に示すように、大きな開口部を開設した枠状の保持枠フレーム１０５をベースにして、該保持枠フレーム１０５の前側に前面枠３の前面を装飾する装飾枠１０６を備え、保持枠フレーム１０５の裏側であって開口部の左右両縁周辺および下縁周辺には、透明部材収納フレーム（ガラス収納フレーム）１０７を設けて、２枚の透明部材１４が前後に重合した状態で上方から収納されるように構成されている。そして、透明部材保持枠１３は、透明部材収納フレーム１０７のうち軸着側（図中右側）に設けられた軸着側収納フレーム１０７ａを、透明部材保持枠１３を閉じた状態で案内誘導路１２と対向する箇所から上下に分割および離間して備え、この離間した部分に発射球案内壁部６７の膨出部７１と対向する案内誘導路カバー部材１０８を配設している（図１１および図１２（ｃ）参照）。
【００４３】
案内誘導路カバー部材１０８は、２枚の透明部材１４，１４′とともに案内誘導路１２の前方を覆う縦長な部材であり、図１２に示すように、延設ベース部７０上に形成された案内誘導路１２の前方を覆う状態で取り付けられている。また、案内誘導路カバー部材１０８は、透明部材保持枠１３の軸着側となる透明部材１４の側方に、透明部材１４と隣り合う状態で配設されている（図１２（ａ）参照）。そして、この案内誘導路カバー部材１０８は、案内誘導路１２に対向する後面のうち、案内誘導路１２の下側に位置する下部１０８ａを、後側の透明部材１４′の裏面よりも前方に配設し、案内誘導路１２の上側に位置する上部１０８ｂを透明部材１４′の裏面よりも後方に配設し、この上部と下部との間に緩やかな傾斜部１０８ｃを形成している。このような構成により案内誘導路１２は、案内誘導路１２と延設ベース部７０との間において前後方向の奥行きを変化させている。すなわち、延設ベース部７０上において、発射装置３４側（案内誘導路１２の上流側）の案内誘導路１２の奥行きＤ１は、透明部材１４′と底面との間隔Ｄ０よりも広く設定され、上方へ向かうにつれて徐々に奥行きを狭め、戻り球防止部材８０側（案内誘導路１２の下流側）の案内誘導路１２の奥行きＤ２は、間隔Ｄ０よりも狭く設定されている（図１２（ｂ）参照）。したがって、発射装置３４から案内誘導路１２を上昇する遊技球は、透明部材１４′と案内誘導路カバー部材１０８との間に引っ掛かることなくスムーズに透明部材１４′の後方から案内誘導路カバー部材１０８の後方、すなわち延設ベース部７０上に移動することができ、さらに上昇すると再び透明部材１４′の後方に戻ることができる。このようにして案内誘導路１２を遊技盤本体６の側端よりも外側へ突出させても、遊技球の飛びムラを生じ難くすることができる。また、透明部材１４′を案内誘導路１２の突出に併せて大きくする必要がなく、従来サイズの透明部材１４′を使用することができる。
【００４４】
なお、本実施形態の案内誘導路カバー部材１０８は、透明部材保持枠１３の軸着側に不正防止壁１０９を後方に向かって延設して、針金等の不正部材が透明部材保持枠１３と前面枠本体４との間から挿入されても、遊技盤収納フレーム２３や遊技領域１１まで侵入するのを防ぐことができるように構成されている。
【００４５】
次に、ガイドレール６２の取付手順について説明する。
上記したようなガイドレール６２を発射球案内壁部６７に取り付けるには、ガイドレール６２を発射球案内壁部６７に沿うように予め湾曲させて上下両端のクランク部を発射球案内部材６１のスリット８４ａに通し、係止部９０を発射球案内部材６１の上端係止受部８２に係止し、止着部９１を発射球案内部材６１の下端止着受部８３に、ネジ等の着脱可能な止着部材（図示せず）を用いて止着する。また、ガイドレール６２の後端の位置決め突起９２を底部７９のガイドレール位置決め孔８８に嵌合し、これによりガイドレール６２が発射球案内壁部６７の内面に沿って湾曲した状態を維持するようにする。このようにして取り付けたガイドレール６２の前面端は、遊技盤５からの高さが発射球案内壁部６７の起立端と揃った状態になる。また、ガイドレール６２は、起立位置や角度などの起立状態を取付ベース部６６に一体成形した発射球案内壁部６７に当接するだけで確実に決めることができるので、ガイドレール６２の取付作業を短時間で済ませることができる。したがって、遊技盤５の組立作業や遊技店における遊技盤５のメンテナンス作業の負担軽減を図ることができる。
【００４６】
また、ガイドレール止着部材６３をガイドレール６２が取り付けられた発射球案内壁部６７に取り付けるには、挟み込み部９４を内側に撓ませながら、遊技盤５の前方からガイドレール止着部材係止部８７へ嵌合する。そして、押止部９５がガイドレール６２の前側端を押止する状態まで挟み込み部９４を嵌め込み、各切欠部に押止部９５を嵌合した状態で撓みを解いて、係止爪片９６をガイドレール止着部材係止部８７内に係止する。このようにして、挟み込み部９４とガイドレール止着部材係止部８７とが係止状態になり、ガイドレール止着部材６３は、ガイドレール６２の脱落を防止するとともに、発射球案内壁部６７上におけるガイドレール６２のガタつきを規制することができる。
【００４７】
次に、遊技盤５の取付手順について説明する。
上記したような遊技盤５を前面枠本体４に取り付けるには、まず、発射球案内部材６１の掛止受部６８に遊技盤収納フレーム２３の掛止部材２７の掛止爪２７ｂを引っ掛けて、下縁をフレームボード部２４の遊技盤載置部３２に載せながら、遊技盤５を遊技盤収納フレーム２３の背面部２３ｄに押し付ける。さらに、遊技盤本体６の側端を位置決め部材２８の当接端２８ａに押し付ける。すると、遊技盤５は、案内誘導路１２側を掛止した状態で、遊技盤収納フレーム２３内での上下位置および左右位置を決定することができる。遊技盤５の位置が決定したならば、右側壁部２３ｂおよび上側壁部２３ｃのクランプ３０を固定状態に変換することで遊技盤取付部５４に当接させ、背面部２３ｄとの間で遊技盤５を挟み込む。このようにして遊技盤５を前面枠本体４に取り付けることができる。
【００４８】
このように遊技盤収納フレーム２３に遊技盤５を収納して遊技盤本体６に位置決め部材２８を当接した状態では、図４および図１３に示すように、遊技盤収納フレーム２３の側壁（左側壁部２３ａ）と遊技盤本体６の側端との間に間隙１１０が形成される。そして、この間隙１１０内には、補強部材７３が上下の位置決め部材２８の間に位置する状態で収納される（図２参照）。また、間隙１１０の前方には、延設ベース部７０上の案内誘導路１２が上下の掛止部材２７の間に配置される。このように、案内誘導路１２の途中を遊技盤本体６の側端よりも外側に配設しても、前面枠本体４は、遊技盤５を無理なく遊技盤収納フレーム２３に収納することができ、遊技盤５の取付状態の安定性を維持することができる。
【００４９】
上記した実施形態は、代表的な弾球遊技機であるパチンコ遊技機を例にして説明したが、本発明はこれに限らず、遊技球を発射装置から案内誘導路を通して遊技領域に打込んで遊技を行う弾球遊技機であればどのような遊技機でもよい。例えば、内部に封入した遊技球を循環させる封入球式パチンコ機、アレンジボール式遊技機、雀球式遊技機等の弾球遊技機であってもよい。
【００５０】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【００５１】
【発明の効果】
以上説明したように、本発明によれば、次の効果を奏する。
すなわち、請求項１の発明によれば、前記発射球案内ユニットは、遊技盤前面側に前記案内誘導路を形成する発射球案内部材と、前記発射球案内部材に取り付けられるガイドレールと、前記ガイドレールを遊技盤前方から止着するガイドレール止着部材とを備えて成り、前記発射球案内部材は、遊技盤本体の前面に取り付けるための取付ベース部と、前記取付ベース部から遊技盤前方へ向かって起立し、遊技盤本体の前面の下端側から上端側に亘って円弧状に形成された発射球案内壁部と、前記案内誘導路の底部とを備え、前記発射球案内壁部と底部とを前記取付ベース部とともに合成樹脂で一体成形し、前記取付ベース部は、遊技盤本体に取り付けた状態で該遊技盤本体の側端よりも外側へ突出する延設ベース部を備え、該延設ベース部の前面に発射球案内壁部の一部を側方へ膨出した状態で設けることで、案内誘導路の途中を遊技盤本体の側端よりも外側に配設したので、ガイドレールの取付状態を不安定にすることなく、遊技領域を横方向に拡げることができる。したがって、遊技盤の設計の自由度が増し、遊技の興趣を高めた弾球遊技機を提供することができる。
【００５２】
請求項２に記載の発明によれば、前記延設ベース部の裏面に、遊技盤の後方に向かって起立した補強部材を設けたので、延設ベース部上の発射球案内壁部およびガイドレールが倒れるのを防止して、遊技球の飛びムラを生じ難くすることができる。
【００５３】
請求項３に記載の発明によれば、前記補強部材は、遊技盤本体の側端に当接する縦方向の第１リブと、該第１リブと延設ベース部との間に設けられた横方向の第２リブとから構成されるので、補強部材を発射球案内部材の左右方向を位置決めするガイドとして利用することができ、組立作業等の作業効率を向上させることができる。
【００５４】
請求項４に記載の発明によれば、前面枠に、前記遊技盤を収納する遊技盤収納フレームを備え、該遊技盤収納フレームは、一側に遊技盤を掛止する遊技盤掛止手段を、他側に遊技盤を固定する遊技盤固定手段をそれぞれ設け、前記遊技盤掛止手段は、遊技盤収納フレームの側壁の上部および下部に設けられ、遊技盤収納フレームの側壁から内側に向かってそれぞれ延出する掛止部材と、遊技盤収納フレームの側壁の上部および下部に設けられ、遊技盤の左右方向の移動を規制して位置決めする位置決め部材とから構成され、前記取付ベース部は、前記発射球案内壁部の外側で遊技盤本体の前面上側に取り付けられる上取付ベース部と、発射球案内壁部の外側で遊技盤本体の前面下側に取り付けられる下取付ベース部とを含み、前記上取付ベース部と下取付ベース部とに、掛止部材が掛止される掛止受部をそれぞれ備え、前記遊技盤収納フレームに遊技盤を収納して遊技盤本体に位置決め部材を当接した状態で遊技盤収納フレームの側壁と遊技盤本体の側端との間に間隙を形成し、該間隙の前方であって、前記上下の掛止部材の間に延設ベース部上の案内誘導路を配置し、前記間隙内であって、前記上下の位置決め部材の間に補強部材を収納するので、案内誘導路の途中を遊技盤本体の側端よりも外側に配設しても、遊技盤を無理なく遊技盤収納フレームに収納することができ、遊技盤の取付状態の安定性を維持することができる。
【００５５】
請求項５に記載の発明によれば、前記発射装置は、前記遊技盤の下方に発射杵を回動軸により軸着し、該回動軸から下方に延在する発射杵の下端部分に遊技球を弾発する杵先を備え、前記回動軸より下方に発射レールの遊技球発射位置を設定したので、発射レールを発射杵よりも上方に設けることなく発射装置を構成することができる。したがって、発射装置の高さを低くし、その分、上方の遊技領域を縦方向に拡げることができて、遊技盤の設計の自由度が増加させることができる。
【００５６】
請求項６に記載の発明によれば、前記発射レールの先端と前記案内誘導路の基端との間に開口したファール流下口を備え、前記ガイドレールは、発射球案内壁部の内側面に、長手方向に沿って取り付けられ、前記ファール流下口を飛び越えた遊技球が衝接し得る部分であって、発射装置の打球発射力を最小状態にした際に遊技球が衝接する位置から、打球発射力を最大状態にした際に衝接する位置までの範囲を発射球衝接部とし、該発射球衝接部と発射球案内壁部との間でガイドレールの長さ方向に所定の間隔を配した発射球衝撃吸収空間部を形成したので、遊技球がガイドレールに衝接しても衝撃を吸収して弾み難くし、飛びムラを軽減させることができる。したがって、遊技者は発射装置を操作して意図したとおりに遊技球を遊技領域に送ることができて、遊技の興趣を高めることができる。
【００５７】
請求項７に記載の発明によれば、前記発射球案内部材は、前記ガイドレールの上端部を係止する上端係止受部と、前記ガイドレールの下端部を止着する下端止着受部と、上端係止受部と下端止着受部との間に設けられて、ガイドレール止着部材を係止するためのガイドレール止着部材係止部と、前記底部に、発射球案内壁部に沿って複数開設されたガイドレール位置決め孔とを備え、前記ガイドレールは、上端部に設けられて、前記上端係止受部へ係止される係止部と、下端部に設けられて、前記下端止着受部に止着される止着部と、前記ガイドレール止着部材が止着される箇所に設けられた切欠凹部と、当該ガイドレールの後端から複数突設されて、前記ガイドレール位置決め孔に嵌合する位置決め突起とを備え、前記ガイドレール止着部材は、ガイドレール止着部材係止部に係止するための挟み込み部と、前記挟み込み部とガイドレール止着部材係止部とが係止すると前記ガイドレールの前側端を押止する押止部とを備えたので、ガイドレールの取付および交換が容易になり、遊技盤の組立作業や遊技店における遊技盤のメンテナンス作業の負担軽減を図ることができる。
【図面の簡単な説明】
【図１】パチンコ遊技機の正面図である。
【図２】遊技盤および前面枠本体の正面図である。
【図３】前面枠本体の斜視図である。
【図４】図２における遊技盤および前面枠本体のＢ−Ｂ断面図である。
【図５】発射装置の拡大正面図である。
【図６】遊技盤の分解斜視図である。
【図７】発射球案内部材の斜視図である。
【図８】発射球案内部材の背面斜視図である。
【図９】（ａ）はガイドレールの斜視図、（ｂ）はガイドレール止着部材およびガイドレール止着部材係止部の拡大図である。
【図１０】透明部材保持枠の背面斜視図である。
【図１１】図１における前面枠のＡ−Ａ断面図である。
【図１２】（ａ）は案内誘導路カバー部材の斜視図、（ｂ）は側面図、（ｃ）は案内誘導路カバー部材と案内誘導路との位置関係の説明図である。
【図１３】図２における遊技盤および前面枠本体のＣ−Ｃ断面図である。
【符号の説明】
１  パチンコ遊技機
２  機枠
３  前面枠
４  前面枠本体
５  遊技盤
６  遊技盤本体
６ａ  切欠部
７  表示装置
８  大入賞口
９  一般入賞口
１０  アウト口
１１  遊技領域
１２  案内誘導路
１３  透明部材保持枠
１３ａ  ヒンジ部
１４，１４′  透明部材
１５  上皿ユニット
１５ａ  ヒンジ部
１６  下皿ユニット
１７  上皿
１８  下皿
１９  灰皿
２０  発射操作ユニット
２２  開口部
２３  遊技盤収納フレーム
２３ａ  左側壁部
２３ｂ  右側壁部
２３ｃ  上側壁部
２３ｄ  背面部
２４  フレームボード部
２６  遊技盤掛止手段
２７  掛止部材
２７ａ  掛止片
２７ｂ  掛止爪
２８  位置決め部材
２８ａ  当接端
３０  クランプ
３２  遊技盤載置部
３４  発射装置
３６  取付基板
３７  発射杵
３８  回動軸
３９  杵先
４０  遊技球発射位置
４１  発射レール
４３  ファール流下口
４５  遊技領域区画部材
４６  発射球案内ユニット
４７  第１遊技領域区画部材
４８  第２遊技領域区画部材
５１  第１区画壁
５２  ゴム材
５３  ハンドル部
５４  遊技盤取付部
５６  第２区画壁
５７  アウト口周縁部
５８  掲示部
６１  発射球案内部材
６２  ガイドレール
６３  ガイドレール止着部材
６６  取付ベース部
６６ａ  上取付ベース部
６６ｂ  下取付ベース部
６７  発射球案内壁部
６８  掛止受部
７０  延設ベース部
７１  膨出部
７３  補強部材
７４  第１リブ
７５  第２リブ
７８  遊技領域区画壁部
７９  底部
８０  戻り球防止部材
８２  上端係止受部
８３  下端止着受部
８４  ガイドレール係止壁
８４ａ  スリット
８７  ガイドレール止着部材係止部
８８  ガイドレール位置決め孔
９０  係止部
９１  止着部
９２  位置決め突起
９４  挟み込み部
９５  押止部
９６  係止爪片
９８  壁部側切欠部
９９  切欠凹部
１０１  発射球衝接部
１０２  発射球衝撃吸収空間部
１０５  保持枠フレーム
１０６  装飾枠
１０７  透明部材収納フレーム
１０７ａ  軸着側収納フレーム
１０８  案内誘導路カバー部材
１０８ａ  後面下部
１０８ｂ  後面上部
１０８ｃ  後面傾斜部
１０９  不正防止壁
１１０  間隙
【図１】
2004290358.tif 000003
【図２】
2004290358.tif 000004
【図３】
2004290358.tif 000005
【図４】
2004290358.tif 000006
【図５】
2004290358.tif 000007
【図６】
2004290358.tif 000008
【図７】
2004290358.tif 000009
【図８】
2004290358.tif 000010
【図９】
2004290358.tif 000011
【図１０】
2004290358.tif 000012
【図１１】
2004290358.tif 000013
【図１２】
2004290358.tif 000014
【図１３】
2004290358.tif 000015